(57)【要約】【課題】防塵性と良好な光ケーブル収納効率とを有する光接続箱の提供。【解決手段】収納箱２に第１の切欠４Ａと可撓性遮蔽材５とを設け、蓋体３に第２の切欠４Ｂを設ける。第１の切欠４Ａは、収納箱側壁の切欠からなり第１、第２の光ケーブル１００Ａ、１００Ｂのうちの少なくとも一つが挿入可能な切欠幅寸法ｗと切欠高さ寸法ｈとを有する。可撓性遮蔽材５は、第１の切欠４Ａを遮蔽し、かつ第１の切欠４Ａの幅方向中途位置で切欠高さ方向に沿って左右に分割されている。第２の切欠４Ｂは、収納箱側端部が開放された蓋体側壁の切欠からなり収納箱装着状態で第１の切欠４Ａに対向して第１、第２の光ケーブル１００Ａ、１００Ｂによる第１の切欠４Ａへの挿通を許容する。【選択図】図１
2014085468.tif 000002
【特許請求の範囲】
【請求項１】
箱一端に開口面を有し、かつ箱内部には光接続部によって光ファイバ心線同士が光接続された第１の光ケーブルの接続端と第２の光ケーブルの接続端とが前記光接続部とともに収納される収納箱と、
前記開口面を覆いかつ収納箱側壁に蓋体側壁を嵌め合わせて前記収納箱に取り付けられる蓋体と、
を備え、
前記収納箱は、
収納箱側壁に設けられた切欠からなりかつ前記第１、第２の光ケーブルのうちの少なくとも一つが挿入可能な切欠幅寸法と切欠高さ寸法とを有する第１の切欠と、
前記収納箱側壁に設けられて前記第１の切欠を遮蔽し、かつ前記第１の切欠の幅方向中途位置で切欠高さ方向に沿って左右に分割された可撓性遮蔽材と、
を有し、
前記蓋体は、
収納箱側端部が開放された蓋体側壁の切欠からなり収納箱装着状態で前記第１の切欠に対向して前記第１、第２の光ケーブルのうちの少なくとも一つによる前記第１の切欠への挿通を許容する第２の切欠を、
有する、
ことを特徴とする光接続箱。
【請求項２】
前記第１の切欠の開口面側端部は開放されている、
ことを特徴とする請求項１に記載の光接続部。
【請求項３】
前記第１の切欠は、単列に縦積みされた複数の前記第１、第２の光ケーブルが挿入可能な切欠幅寸法と切欠高さ寸法とを有する、
ことを特徴とする請求項１または２に記載の光接続箱。
【請求項４】
複数段に連結可能な拡張用スペーサをさらに備え、
前記収納箱と前記蓋体とを、前記拡張用スペーサを介さずに連結する、または単段ないし複数段の前記拡張用スペーサを介して連結する、
ことを特徴とする請求項１ないし３のいずれかに記載の光接続箱。
【請求項５】
前記第１、第２の光ケーブルはそれぞれ接地線を有しており、
前記収納箱は、
前記収納箱の側壁に設けられた第３の切欠と、
前記側壁の前記第３の切欠の近傍に設けられた接続端子と、
をさらに備え、
前記蓋体は、
前記蓋体と前記収納箱との連結時に前記第３の切欠を覆う遮蔽壁を、
さらに備え、
前記第１の光ケーブルの前記接地線と前記第２の光ケーブルの前記接地線とを、前記接続端子を介して接続する、
ことを特徴とする請求項１ないし４のいずれかに記載の光接続箱。
【請求項６】
前記収納箱の内底面には、前記第１、第２の光ケーブルの前記接続端にある光ファイバ心線余長部を収納する余長部収納領域と、前記余長部収納領域を囲んで複数配置された案内突起とが設けられており、
前記複数の案内突起の少なくとも一つには、前記余長部収納領域に配置された前記光ファイバ心線余長部の束を上方から覆う可撓片が設けられている、
ことを特徴とする請求項１ないし５のいずれかに記載の光接続箱。
【発明の詳細な説明】
【技術分野】
【０００１】
本発明は、入力側の光ファイバケーブルと出力側の光ファイバケーブルとの光接続部、および光接続部の周辺部位（光ファイバ余長部等）を収納する光接続箱に関する。
【背景技術】
【０００２】
光通信に用いられる光ファイバは通信需要が増大すると、増大した需要に応じて増設される。光ファイバの増設に際しては、光ファイバ心線の光接続が行われる。光ファイバ心線の光接続は光融着部等の光接続部を介して実施される。以下複数の光ファイバ心線を束ねて一体化したものを光ケーブルという。光ケーブルでは、一方の光ケーブルの光ファイバ心線余長部と他方の光ケーブルの光ファイバ心線余長部とがそれぞれ引き出されて互いに光接続部を介して光接続される。この状態で両方の光ケーブルの光ファイバ心線余長部と光接続部とが光接続箱に収納される。
【０００３】
光接続箱は複数の光ファイバ心線の光接続に対応するように構成されており、接続数が増大して収納処理される光ファイバ心線余長部を含めた光ファイバ心線や光接続部の数が増加すると、箱容積を増加させることで対応する。具体的には、光接続箱の収納箱に高さ方向で多段となった蓋取付部を設けたうえで、箱容積を増加させる際には、収納箱を覆う蓋体の取り付け位置を高い位置側の蓋取付部に変更することで、箱容積を増加させる。
【先行技術文献】
【特許文献】
【０００４】
【特許文献１】特開２０１１−１３４９７
【発明の概要】
【発明が解決しようとする課題】
【０００５】
しかしながら、蓋体の取り付け位置を変更すると、収納箱と蓋体との間に隙間が生じるために光接続箱の防塵性が損われる、という課題があった。
【０００６】
したがって本発明は、防塵性を損うことなく光ケーブルを効率よく収納することができる光接続箱の提供を主たる目的としている。
【課題を解決するための手段】
【０００７】
上記課題を解決するために、本発明の光接続箱は、箱一端に開口面を有し、かつ箱内部には光接続部によって光ファイバ心線同士が光接続された第１の光ケーブルの接続端と第２の光ケーブルの接続端とが前記光接続部とともに収納される収納箱と、前記開口面を覆いかつ収納箱側壁に蓋体側壁を嵌め合わせて前記収納箱に取り付けられる蓋体と、を備え、前記収納箱は、収納箱側壁に設けられた切欠からなりかつ前記第１、第２の光ケーブルのうちの少なくとも一つが挿入可能な切欠幅寸法と切欠高さ寸法とを有する第１の切欠と、前記収納箱側壁に設けられて前記第１の切欠を遮蔽しかつ前記第１の切欠の幅方向中途位置で切欠高さ方向に沿って左右に分割された可撓性遮蔽材と、を有し、前記蓋体は、収納箱側端部が開放された蓋体側壁の切欠からなり収納箱装着状態で前記第１の切欠に対向して前記第１、第２の光ケーブルのうちの少なくとも一つによる前記第１の切欠への挿通を許容する第２の切欠を、有する。
【０００８】
これにより本発明は、第１、第２の光ケーブルのうちの少なくとも一つの接続端を開放面側端部から第１の切欠に挿入させた状態で、蓋体により収納箱を閉じることができる。このとき、第１、第２の切欠の形成によって生じる収納箱の隙間は、第１、第２の光ケーブルを挿入させた状態であっても可撓性遮蔽材によって封止される。これにより、収納箱の防塵性が確保される。さらには、第１、第２の光ケーブルの収納量を調整するために蓋体の取り付け位置（高さ寸法）が変更されると第１、第２の切欠の間に生じる隙間の大きさが変動するが、第１の切欠全体が可撓性遮蔽材によって遮蔽されているので、前記隙間の大きさが変動しても収納箱の防塵性が確保される。
【０００９】
本発明には、前記第１の切欠の開口面側端部は開放されている、という態様がある。第１の切欠の開放面側端部を開放することで、この開放端部から、第１、第２の光ケーブルを容易に第１の切欠に挿入させることが可能となる。
【００１０】
本発明には、前記第１の切欠は、単列に縦積みされた複数の前記第１、第２の光ケーブルが挿入可能な切欠幅寸法と切欠高さ寸法とを有する、という態様がある。この態様によれば、第１の切欠に複数の第１、第２の光ケーブルを挿入させる場合であっても、単列に縦積みした状態で効率よく第１、第２の光ケーブルを第１の切欠内で配列させることができる。そのため、可撓性遮蔽材と複数の第１、第２の光ケーブルとの間にほとんど隙間を生じさせることなく第１、第２の光ケーブルを光接続箱内外で挿通させることができる。
【００１１】
本発明には、複数段に連結可能な拡張用スペーサをさらに備え、前記収納箱と前記蓋体とを、前記拡張用スペーサを介さずに連結する、または単段ないし複数段の前記拡張用スペーサを介して連結する、という態様がある。この態様によれば、拡張用スペーサの段数を調整することで、蓋体の取り付け位置（高さ）を容易に変更することでできる。
【００１２】
本発明には、前記第１、第２の光ケーブルはそれぞれ接地線を有しており、前記収納箱は、前記収納箱の側壁に設けられた第３の切欠と、前記側壁の前記第３の切欠の近傍に設けられた接続端子と、をさらに備え、前記蓋体は、前記蓋体と前記収納箱との連結時に前記第３の切欠を覆う遮蔽壁を、さらに備え、前記第１の光ケーブルの前記接地線と前記第２の光ケーブルの前記接地線とを、前記接続端子を介して接続する、という態様がある。この態様によれば、第１の光ケーブルの接地線と第２の光ケーブルの接地線とを接続端子を介して接続する処理を、収納箱の側壁に設けられた第３の切欠を介して収納箱の外側から容易に行うことが可能となる。なお、実際の使用時においては、第３の切欠が蓋体の遮蔽壁によって覆われる。そのため、箱外部から第３の切欠を介して光接続箱内部に異物等が侵入することはない。
【００１３】
本発明には、前記収納箱の内底面には、前記第１、第２の光ケーブルの前記接続端にある光ファイバ心線余長部を収納する余長部収納領域と、前記余長部収納領域を囲んで複数配置された案内突起とが設けられており、前記複数の案内突起の少なくとも一つには、前記余長部収納領域に配置された前記光ファイバ心線余長部の束を上方から覆う可撓片が設けられている、という態様がある。この態様によれば、案内突起によって囲まれた余長部収納領域に第１、第２の光ケーブルの光ファイバ心線余長部を収納すればよいので、その作業は容易になる。また、収納した光ファイバ心線余長部の上方を、案内突起に設けた可撓片によって覆うので、光ファイバ心線の束はばらけにくくなる。
【発明の効果】
【００１４】
本発明によれば、蓋体の取り付け位置（取り付け高さ）を変更しても、第１、第２の切欠の間に隙間が生じることがなく、そのために防塵性を十分に確保した状態で光接続箱の収納能力を拡張させることが可能となる。
【図面の簡単な説明】
【００１５】
【図１】本発明の一実施形態の光接続箱の構成を示す一部切欠平面図である。
【図２】図１のＡ−Ａ線断面図である。
【図３】実施形態の光接続箱の蓋体を取り外した状態での正面図である。
【図４】実施形態の光接続箱の蓋体を取り外した状態での側面図である。
【図５】実施形態の光接続箱の要部の分解状態をそれぞれ示す平面図である。
【図６】実施形態の光接続箱を用いた光ケーブルの光接続部の収納手順の第１の状態を示す平面図である。
【図７】実施形態の光接続箱を用いた光ケーブルの光接続部の収納手順の第２、第３の状態をそれぞれ示す側面図である。
【図８】実施形態の光接続箱の第１の連結構造を用いた光ケーブルの光接続部の収納手順の第２、第３の状態をそれぞれ示す正面図である。
【図９】実施形態の光接続箱の第２の連結構造を用いた光ケーブルの光接続部の収納手順の第２、第３の状態をそれぞれ示す正面図である。
【発明を実施するための形態】
【００１６】
次に、本発明の実施の形態を図を参照して順に詳説する。図１は、本発明の一実施形態の光接続箱であって、蓋体の一部を切欠いて光接続箱の内部を示した平面図であり、図２は、図１のＡ−Ａ線断面図であり、図３は、光接続箱を構成する収納箱単体の正面図である。
【００１７】
まず、本実施形態の光接続箱１の収納物について説明する。すなわち、第１の光ケーブル１００Ａと第２の光ケーブル１００Ｂとが光接続される際には、第１の光ケーブル１００Ａの接続端１００Ａｂと第２の光ケーブル１００Ｂの接続端１００Ｂｂとからそれぞれ光ファイバ心線余長部１００Ａａ、１００Ｂａが引き出されたうえで、引き出された光ファイバ心線余長部１００Ａａ、１００Ｂａ同士が光接続部１０１によって光接続される。光接続箱１には、第１の光ケーブル１００Ａの接続端１００Ａｂと、第２の光ケーブル１００Ｂの接続端１００Ｂｂと、光ファイバ心線余長部１００Ａａ、１００Ｂａと、光接続部１０１とが収納される。
【００１８】
なお、光接続箱１を用いた光ファイバ収納構造では、第１、第２の光ケーブル１００Ａ、１００Ｂから複数の光ファイバ心線余長部１００Ａａ、１００Ｂａが引き出されて光接続箱１に収納され、そのうえで上記複数の光ファイバ心線余長部１００Ａａ、１００Ｂａの中の任意数の光ファイバ心線余長部１００Ａａ、１００Ｂａがさらに取り出されて光接続部１０１で光接続される。なお、第１、第２の光ケーブル１００Ａ、１００Ｂから複数引き出された光ファイバ心線余長部１００Ａａ、１００Ｂａは束ねられており、以下、束ねられた第１、第２の光ケーブル１００Ａ、１００Ｂの余長部１００Ａａ、１００Ｂａを心線余長部束１００Ａｃ、１００Ｂｃと称する。
【００１９】
光接続箱１は、収納箱２と蓋体３とを備える。収納箱２は、平面視長四角形状となった立方体形状を有しており、箱一端（図１の紙面直交方向の上端）には全面にわたる開口面２ａが設けられている。収納箱２は、互いに対向する短辺側側壁２ｂ１、２ｂ２と、同様に互いに対向する長辺側側壁２ｃ１、２ｃ２を備えており、短辺側側壁２ｂ１、２ｂ２それぞれには複数の第１の切欠４Ａが設けられており、長辺側側壁２ｃ１、２ｃ２それぞれには第３の切欠４Ｃが設けられており、蓋体３の短辺側側壁３ｃ１、３ｃ２それぞれには第２の切欠４Ｂが設けられている。本実施形態では、各短辺側側壁２ｂ１、２ｂ２それぞれに４つの第１の切欠４Ａが、長辺側側壁２ｃ１、２ｃ２それぞれには単一の第３の切欠４Ｃが、蓋体３の短辺側側壁３ｃ１、３ｃ２それぞれには単一の第２の切欠４Ｂが設けられている。
【００２０】
第１の切欠４Ａは、図３に示すように、短辺側側壁２ｂ１、２ｂ２の開口面側端部２ｄから収納箱２の内底面２ｄにわたって、短辺側側壁２ｂ１、２ｂ２を切り欠くことで形成されており、第１の切欠４Ａの開口面側端部４ａは開放されている。第１の切欠４Ａは、短辺側側壁２ｂ１、２ｂ２において、側壁幅方向に沿って並列配置されている。第１の切欠４Ａは、単列に縦積みされた複数の第１、第２の光ケーブル１００Ａ、１００Ｂが挿入可能な切欠幅寸法ｗと切欠高さ寸法ｈとを有している。なお、第１の切欠４Ａの開口面側端部４ａは開放されることなく閉じられていても良い。
【００２１】
第１の切欠４Ａは、可撓性遮蔽材５によって遮蔽されている。可撓性遮蔽材５はウレタンスポンジ等の防塵スポンジ材からなり、第１の切欠４Ａを遮蔽した状態で第１の切欠４Ａに装着されている。可撓性遮蔽材５は、切欠幅方向中途位置で切欠高さ方向に沿って左右に分割されている。可撓性遮蔽材５の分割線５ａは、第１の切欠４Ａの上端から下端にわたって切欠全体に設けられている。分割線５ａによって左右に分割された可撓性遮蔽物５の両端同士は互いに密着しており、可撓性遮蔽物５の両端間に隙間は形成されていない。
【００２２】
収納箱２の内部には収納棚６が水平配置されている。収納棚６は、収納箱２の高さ方向中間位置において水平配置されている。収納棚６の一端は、一方の長辺側側壁２ｃ１の箱高さ方向中間位置に設けられた連結ヒンジ７を介して長辺側側壁２ｃ１に揺動自在に取り付けられている。収納棚６の他端は、他方の長辺側側壁２ｃ２に連結ヒンジ７と同じ高さ位置に設けられた棚受けフランジ８の上に載置されている。収納棚６には、一つもしくは複数の融着トレイ９が載置固定されている。以下、複数の融着トレイ９を積層配置されることを前提にして説明するが、単一の融着トレイ９を設ける場合であっても同様であるのはいうまでもない。融着トレイ９は、上面が開放された浅底の立方体形状を有しており、最下部の融着トレイ９は、トレイ底面を収納棚６の上面に当接させた状態で収納棚６にねじ止め固定されている。最上部の融着トレイ９のトレイ上面（開放面）には、トレイ上面を覆うトレイ蓋１０が取り付けられている。トレイ蓋１０の一端は、連結ヒンジ１１を介してトレイ上面の一端に揺動自在に連結されており、これによりトレイ蓋１０は融着トレイ９を開閉自在に封止している。各融着トレイ９の内部（内底面）には、光接続部保持部１２と、光ファイバ心線保持部１３とが設けられている。光接続部１０１は、光ファイバ心線より若干大きい直径を有する筒状をしており、光接続部保持部１２は、筒状の光接続部１０１を並列配置させた状態で保持する複数の保持爪からなる。光ファイバ心線保持部１３は、巻回された光ファイバ心線余長部１００Ａａ、１００Ｂａの周囲を取り囲む複数の包囲爪からなる。
【００２３】
トレイ蓋１０を融着トレイ９から分離する動作と連結する動作は、次のように実施される。すなわち、分離する際には、まず、図５（ａ）に示すように、連結ヒンジ１１から連結ピン１１ａを抜き出したうえで、図５（ｂ）に示すように、融着トレイ９からトレイ蓋１０を取り外す。連結する際には、上記とは逆の動作が実施される。
【００２４】
複数の融着トレイ９を設ける場合は、最下部の融着トレイ９からトレイ蓋１０を取り外した状態で、最下部の融着トレイ９の上に一つないし複数の融着トレイ９を積層状態で取り付けたうえで、最上段の融着トレイ９にトレイ蓋１０を取り付ける。融着トレイ９同士の連結も、上述したトレイ蓋１０と融着トレイ９との連結と同様に実施され、各融着トレイ９は、下段側の融着トレイ９に対して揺動自在に連結される。なお、融着トレイ９同士の連結が可能となるように、各融着トレイ９の底部には、トレイ上面側の連結ヒンジ１１と同様の連結ヒンジ１１が設けられている。
【００２５】
収納棚６の下側に位置する収納箱２の内底面２ｄには、心線余長部束１００Ａｃ、１００Ｂｃを収納する余長部収納領域２０が設けられている。余長部収納領域２０は、平面視円状もしくは楕円状に設定されており、余長部収納領域２０の外側を囲む、もしくは、余長部収納領域２０の内側に沿って複数の案内突起２１が設けられている。本実施形態（図１）では、角度にして９０度互いに離間した４つ案内突起２１が設けられている。案内突起２１は内底面２ｄの内方に向けて突出している。
【００２６】
複数の案内突起２１の少なくとも一つ（図６に示すように、互いに対向する一対の案内突起２１、２１）には、余長部収納領域２０に配置された心線余長部束１００Ａｃ、１００Ｂｃを上方から覆う可撓片２１ａが設けられている。可撓片２１ａ並びに可撓片２１ａが設けられた案内突起２１は、例えば、手動で変形可能なアルミニウムや銅等の金属平板から構成されている。
【００２７】
収納箱２の内底面２ｄには、さらにケーブル固定部２２と、テンションメンバクランプ２３とが設けられている。ケーブル固定部２２とテンションメンバクランプ２３とは複数設けられている。各ケーブル固定部２２は第１の切欠４Ａそれぞれの直近に配置されている。ケーブル固定部２２は、ケーブル拘束帯２２ａと、ケーブル拘束帯２２ａを固定する固定ねじ２２ｂとから構成されている。テンションメンバクランプ２３は、ケーブル拘束帯２２ａを間にして第１の切欠４Ａと対向して配置されており、第１の切欠４Ａやケーブル拘束帯２２ａから若干離間して配置されている。テンションメンバクランプ２３は、第１、第２の光ケーブル１００Ａ、１００Ｂから引き出されるテンションメンバ１０２を固定するものであって、連結ねじから構成されている。
【００２８】
第３の切欠４Ｃは、図４に示すように、収納箱２の長辺側側壁２ｃ１、２ｃ２に設けられている。第３の切欠４Ｃは、長辺側側壁２ｃ１、２ｃ２のほぼ前幅にわたって設けられており、長辺側側壁２ｃ１、２ｃ２の上端から連結ヒンジ７や棚受けフランジ８の形成位置までの長辺側側壁２ｃ１、２ｃ２を切欠くことで形成されている。
【００２９】
長辺側側壁２ｃ１、２ｃ２の内面には、接続端子の一例である一対のアース端子２４Ａ、２４Ｂが取り付けられている。アース端子２４Ａ、２４Ｂは、長辺側側壁２ｃ２の幅方向両端それぞれの、第３の切欠４Ｃの底縁近傍に配置されている。アース端子２４Ａ、２４Ｂそれぞれは、４連の端子電極（ねじ端子からなる）を備えている。アース端子２４Ａ、２４Ｂには、第１、第２の光ケーブル１００Ａ、１００Ｂから引き出される接地用ドレインワイヤ１０３が接続される。
【００３０】
収納箱２の開口面２ａの四隅には、連結フランジ２５Ａ〜２５Ｄが設けられている。連結フランジ２５Ａ〜２５Ｄは、収納箱２の開口面２ａの四隅において、長辺側側壁２ｃ１、２ｃ２の一部を延出させたうえで、その延出部を箱内方に水平に９０度屈曲させることで形成される。
【００３１】
連結フランジ２５Ａ〜２５Ｄには、蓋体連結用の第１、第２の連結構造が設けられている。まず、第１の連結構造を説明する。第１の連結構造は、図８に示すように連結フランジ２５Ａ、２５Ｃそれぞれに設けられた蓋体連結用の雌ねじ２５ａ、２５ａに直接蓋体３を連結する際に用いられるものであって、上述した蓋体連結用の雌ねじ２５ａと、第１のスペーサ２６とを備えている。雌ねじ２５ａは、収納箱２の上面の四隅に計４つ設けられた連結フランジ２５Ａ〜２５Ｄのうち、一方の対角両隅に位置する一対の連結フランジ２５Ａ、２５Ｃに形成されている。第１のスペーサ２６は、連結フランジ２５Ａ〜２５Ｄそれぞれにねじ止めされて立設されている。第１のスペーサ２６は、蓋体連結時の作業空間を確保するために設けられており、その上端には連結用の雌ねじ２６ａが設けられている
次に第２の連結構造を説明する。第２の連結構造は、蓋体３を収納箱２から少し離間させた状態で蓋体３を収納箱２に連結する際にのみ用いられるものであって、図９に示すように、第２のスペーサ２７と、第３のスペーサ２８とを備えている。第２のスペーサ２７は、連結フランジ２５Ａ〜２５Ｄの雌ねじ２５ａにねじ止め立設されるものであって、その一端には連結用の雌ねじが、他端には連結用の雄ねじがそれぞれ設けられている。第３のスペーサ２８は、第１のスペーサ２６の雌ねじにねじ止め立設されるものであって、一端には連結用の雄ねじが設けられている。
【００３２】
第２、第３のスペーサ２７、２８の軸長寸法は、次のように設定されている。すなわち、第２のスペーサ２７が連結フランジ２５Ａ、２５Ｃの雌ねじ２５ａに連結され、さらに第３のスペーサ２８が連結フランジ２５Ａ〜２５Ｄの第１のスペーサ２６に連結された状態（以下、状態１という）では、第３のスペーサ２８の上端の方が第２のスペーサ２７の上端より高い位置になるように、第２、第３のスペーサ２７、２８の軸長寸法は設定されている。より具体的には、状態１において、第３のスペーサ２８の上端と第２のスペーサ２７の上端との間の離間距離ｋ１は、第１のスペーサ２６の軸長長さｋ２と同等に設定されている。本実施形態では、第１〜第３のスペーサ２６〜２８によって拡張用スペーサが構成されている。
【００３３】
蓋体３は、図７〜図９に示すように、収納箱２の開口面２ａを覆う上面部３ａと、上面部３ａの全周囲にわたって垂設された長辺側側壁３ｂ１、３ｂ２と、短辺側側壁３ｃ１、３ｃ２とを備えた立方体形状となっており、下面側は開放面３ｄとなっている。蓋体３は収納箱２に対して締まり嵌めで装着される形状を有している。第２の切欠４Ｂは、短辺側側壁３ｃ１、３ｃ２に形成された切欠からなる。第２の切欠４Ｂは、開放面３ｄ側が開放された切欠形状を有している。第２の切欠４Ｂは、蓋体３が収納箱２に装着された状態において第１の切欠４Ａに対向する位置になるように、短辺側側壁３ｃ１、３ｃ２のほぼ前面にわたって設けられている。
【００３４】
このようにして蓋体３に第２の切欠４Ｂを設けることで、第１、第２の光ケーブル１００Ａ、１００Ｂによる第１の切欠４Ａの挿通が許容されている。長辺側側壁３ｂ１、３ｂ２は、蓋体３が収納箱２に装着された状態において、収納箱２の第３の切欠４Ｃを覆う大きさを有しており、第３の切欠４Ｃの遮蔽壁となる。上面部３ａの四隅のうちの一方の対向隅には、連結ねじ３０が装着されている。
【００３５】
連結ねじ３０は、図６に示すように、ねじ頭３０ａとねじ軸３０ｂとを有しており、ねじ頭３０ａを蓋体３の外側にしてねじ軸３０ａを蓋体３の内部側に突出させた状態で、回動自在に上面部３ａに装着されている。連結ねじ３０は、蓋体３が収納箱２に装着された状態において、収納箱側における連結フランジ２５Ａ、２５Ｃの雌ねじ２５ａにねじ軸３０ｂが係合する位置に設けられている。
【００３６】
次に、上記構成を備える本実施形態の光接続箱１を用いた、第１の光ケーブル１００Ａの接続端１００Ａｂ、第２の光ケーブル１００Ｂの接続端１００Ｂｂ、光ファイバ心線余長部１００Ａａ、１００Ｂａ、および光接続部１０１の収納手順を説明する。ここでは、予め複数の収納棚６が積層されて揺動自在に収納棚６に取り付けられていることを前提にして収納手順を説明する。
【００３７】
なお、以下の説明では、開口面２ａを上側（上向き）にして収納箱２が配置された状態で、収納箱２に第１、第２の光ケーブル１００Ａ、１００Ｂの接続端１００Ａｂ、１００Ｂｂ、光ファイバ心線余長部１００Ａａ、１００Ｂａ、および光接続部１０１を収納する形態を説明する。しかしながら、開口面２ａを横向きにして収納箱２が配置された状態において、収納箱２に第１、第２の光ケーブル１００Ａ、１００Ｂの接続端１００Ａｂ、１００Ｂｂ、光ファイバ心線余長部１００Ａａ、１００Ｂａ、および光接続部１０１を収納する収納形態も存在するのはいうまでもない。
【００３８】
以下、収納手順を説明する。まず、第１、第２の光ケーブル１００Ａ、１００Ｂの接続端１００Ａｂ、１００Ｂｂから、それぞれ心線余長部束１００Ａｃ、１００Ｂｃと、テンションメンバ１０２と、接地用ドレインワイヤ１０３とを引き出しておく。さらに、収納箱２の収納棚６に初期所定数の融着トレイ９を装着し、連結フランジ２５Ａ、２５Ｃに、第１のスペーサ２６だけを装着しておく（第２、第３のスペーサ２７、２８は装着しない）。
【００３９】
ここで融着トレイ９に装着する融着トレイ９の初期所定数とは、次のようにして設定される。すなわち、所定数の融着トレイ９を収納棚６に取り付けた状態において、最上位の融着トレイ９の上面高さ位置が収納箱２の第１のスペーサ２６の上端位置より低い位置になるように、上記初期所定数が設定される。
【００４０】
以上の前処理を済ませたのち、収納箱２から蓋体３を取り外した状態で、図６に示すように、収納棚６を垂直向きになるように揺動させてその位置で固定することで、収納箱２の内底面２ｄを箱外部に露出させる。
【００４１】
次に、長辺側側壁２ｃ１にある第１の切欠４Ａの一つまたは複数に第１の光ケーブル１００Ａの接続端１００Ａｂを挿入する。同様に長辺側側壁２ｃ２にある第１の切欠４Ａの一つまたは複数に、第２の光ケーブル１００Ｂの接続端１００Ｂｂを挿入する。なお、第１の切欠４Ａの開放面側端部４ａが開放された構成では、接続端１００Ａｂ、１００Ｂｂの挿入は、接続端１００Ａｂ、１００Ｂｂを開口面側端部４ａから第１の切欠４Ａ内に挿入することで実施される。ケーブル挿入に際しては、分割線５ａに沿って可撓性遮蔽材５を左右に押し退けながら、接続端１００Ａｂ、１００Ｂｂを第１の切欠４Ａ内に挿入する。挿入が完了すると、左右に押し退けられた可撓性遮蔽材５が接続端１００Ａｂ、１００Ｂｂの周囲に密着するため、可撓性遮蔽材５と接続端１００Ａｂ、１００Ｂｂとの間に隙間は形成されない。
【００４２】
挿入が完了すると、次に接続端１００Ａｂ、１００Ｂｂをケーブル固定部２２に固定し、接続端１００Ａｂ、１００Ｂｂから引き出したテンションメンバ１０２をテンションメンバクランプ２３に連結し、接続端１００Ａｂ、１００Ｂｂから引き出した接地用ドレインワイヤ１０３をアース端子２４Ａ、またはアース端子２４Ｂに接続する。ケーブル固定部２２によるケーブル固定は接続端１００Ａｂ、１００Ｂｂをケーブル拘束帯２２ａで拘束することで実施される。
【００４３】
接地用ドレインワイヤ１０３をアース端子２４Ａ、２４Ｂに接続する作業は、次のことによって容易に行うことができる。すなわち、長辺側側壁２ｃ２にはアース端子２４Ａ、２４Ｂの直近位置まで第３の切欠４Ｃが形成されている。第３の切欠４Ｃがアース端子２４Ａ、２４Ｂの直近に存在することで、作業者が長辺側側壁２ｃ２の外側から第３の切欠４Ｃ越しに、しかも第３の切欠３Ｃの直近で接地用ドレインワイヤ１０３とアース端子２４Ａ、２４Ｂとの接続作業をすることができて、その作業が容易になる。
【００４４】
次に、接続端１００Ａｂ、１００Ｂｂから引き出した心線余長部束１００Ａｃ、１００Ｂｃを巻回したうえで余長部収納領域２０に収納する。心線余長部束１００Ａｃ、１００Ｂｃは、その周囲を案内突起２１で囲繞されたうえで、その上部が可撓片２１ａによって覆われることで余長部収納領域２０に確実に収納される。
【００４５】
上述した第１、第２の光ケーブル１００Ａ、１００Ｂの収納処理が完了すると、余長部収納領域２０に収納している心線余長部束１００Ａｃ、１００Ｂｃそれぞれから、互いに光接続する任意数の光ファイバ心線余長部１００Ａａ、１００Ｂａを引き出す。光ファイバ心線余長部１００Ａａ、１００Ｂａの引き出しが完了すると、垂直向きになっている収納棚６を、水平向きになって棚受けフランジ８に当接する位置まで揺動させてその位置で固定する。さらに収納棚６の上面に積層配置されている複数の融着トレイ９の中で最低部に位置する融着トレイ９を除いた残余の融着トレイ９を揺動させる。残余の融着トレイ９は、垂直向きになって収納棚６から離間する位置まで揺動させてその位置で固定する。これにより収納棚６に残った最低部の融着トレイ９の上面は開放された状態になる。
【００４６】
収納棚６の復帰揺動並びに今回の光接続部１０１の収納では不要となる上側の融着トレイ９の退避揺動とが完了すると、引き出しておいた光ファイバ心線余長部１００Ａａ、１００Ｂａを、収納棚６に残した融着トレイ９の内部に持ち込んで、融着トレイ９に収納する。光ファイバ心線余長部１００Ａａ、Ｂａの収納は次のようにして実施される。すなわち、引き出した光ファイバ心線余長部１００Ａａ、１００Ｂａを巻回したうえで、巻回状態の光ファイバ心線余長部１００Ａａ、１００Ｂａを、光ファイバ心線保持部１３の包囲爪によって囲まれた融着トレイ９底部に挿入することで、光ファイバ心線余長部１００Ａａ、１００Ｂａを収納する。収納後、光ファイバ心線余長部１００Ａａの先端と、光ファイバ心線余長部１００Ｂａの心線先端とを光接続部１０１で光接続する。光接続を実施した光接続部１０１は、光接続部保持部１２によって保持させる。
【００４７】
一つの融着トレイ９に収納可能な光接続部１０１の数には限りがある。そのため、収納棚６上にあって上面が開放されている融着トレイ９において光接続部１０１の収納を継続していると、その融着トレイ９において光接続部１０１を収納可能な残余の光接続部保持部１２がなくなってしまう。そこで、この状態になってもまだ光接続を必要とする光ファイバ心線余長部１００Ａａ、１００Ｂａが残存している場合は、次の処理を行う。
【００４８】
すなわち、垂直向きにしている残余の融着トレイ９の中で最低部に位置する融着トレイ９を次の収納用トレイとして利用するために、この融着トレイ９を、収納棚６上で上記収納を終えた融着トレイ９の上面に当接する位置まで揺動させてその位置で固定する。そのうえで、引き出しておいた光ファイバ心線余長部１００Ａａ，１００Ｂａを復帰揺動が完了した融着トレイ９（次の収納用トレイ）内に持ち込んで、
・ファイバ心線余長部１００Ａａ，１００Ｂａの融着トレイ９への収納、
・光ファイバ心線余長部１００Ａａ、１００Ｂａの光接続、
・光接続部１０１の光接続部保持部１２への収納、
を実施する。これらの処理は、前述した処理と同じであるので説明を省略する。
【００４９】
以上の処理を繰り返して、光接続を予定していた全てのファイバ心線余長部１００Ａａ、１００Ｂａの光接続処理と、光接続部１０１とファイバ心線余長部１００Ａａ、１００Ｂａとの融着トレイ９への収納処理とが完了すると、垂直向きになっている残余の融着トレイ９の全てを、収納棚６側の最上部の融着トレイ９の上面（開放面）を覆う位置まで揺動させてその位置で固定する。
【００５０】
次に、図７、図８に示すように、収納箱２に蓋体３を装着する。ここでは、第１のスペーサ２６を用いた第１の連結構造によって収納箱２に蓋体３を装着する。以下、説明する。
【００５１】
まず、開口面２ａから収納箱２に蓋体３を外嵌装着する。その際、収納箱２の第１の切欠４Ａに対応する蓋体３の位置に第２の切欠４Ｂが設けられているので、第１の切欠４Ａを介して収納箱２の内外に挿通されている第１、第２の光ケーブル１００Ａ、１００Ｂが、蓋体３の装着の邪魔になることはなく、蓋体３は所定の嵌合位置まで収納箱２に装着される。第１の連結構造における所定の嵌合位置とは、蓋体３の長辺側側壁３ｃ１、３ｃ２が遮蔽壁となって収納箱２の第３の切欠４Ｃ、４Ｃを完全に覆った状態で蓋体３の内面が第１のスペーサ２６の上面に当接する位置をいう。
【００５２】
所定の嵌合位置になって蓋体３の内面が第１のスペーサ２６の上端に当接すると、蓋体３の対向隅に設けられた連結ねじ３０、３０と、収納箱２の連結フランジ２５Ａ、２５Ｃに設けられた雌ねじ２５ａ、２５ａとを螺合させて、蓋体３を収納箱２に装着する。ここで連結フランジ２５Ａ〜２５Ｄに第１のスペーサ２６が設けられることで、連結ねじ３０のねじ止め時において蓋体３の内面と雌ねじ２５ａとの間には隙間が形成される。この隙間を設けることで、連結ねじ３０のねじ止め作業が比較的容易になる。
【００５３】
前述したように、収納棚６には、予め、初期所定数の融着トレイ９が装着されているが、光接続部１０１によって接続される光ファイバ心線余長部１００Ａａ、１００Ｂａの数が増加して、これら初期所定数の融着トレイ９全てにおいて、光接続部１０１を収納していない残余の光接続部保持部１２がなくなってしまうと、融着トレイ９の増設が行われる。融着トレイ９の増設は、次のようにして実施される。
【００５４】
すなわち、収納箱２から蓋体３を取り外した状態で、さらに最上位の融着トレイ９のトレイ蓋１０を取り外す。この状態で最上位に位置する融着トレイ９の上面（開放面）に、増設する融着トレイ９を装着する。融着トレイ９の増設が完了すると、新たに最上位に位置する融着トレイ９の上面にトレイ蓋１０を装着する。なお、融着トレイ９の増設やトレイ蓋１０の着脱については、前述しているのでここでは説明を省略する。
【００５５】
融着トレイ９の増設が完了すると、増設した融着トレイ９において、光ファイバ心線余長部１００Ａａ、１００Ｂａと光接続部１０１とを、上述したのと同じ手順で収納したうえで、最後に収納箱２に蓋体３を装着する。ここでも、第１のスペーサ２６を用いた第１の連結構造によって収納箱２に蓋体３を装着する。
【００５６】
融着トレイ９の増設数が増えて、最上位の融着トレイ９の上面高さ位置が収納箱２の第１のスペーサ２６の上端位置より高い位置になると、第１の連結構造では蓋体３を収納箱２に装着することができなくなる。
【００５７】
そこでこの状態になると、収納箱２において第１の連結構造を第２の連結構造に変更する。具体的には、図９に示すように、蓋体３を取り外した状態の収納箱２において、連結フランジ２５Ａ、２５Ｃに設けられた雌ねじ２５ａ、２５ａに、第２のスペーサ２７の雄ねじを螺合させることで、連結フランジ２５Ａ、２５Ｃに第２のスペーサ２７、２７を立設する。さらに、連結フランジ２５Ａ〜２５Ｄに立設された第１のスペーサ２６の雌ねじに第３のスペーサ２８の雄ねじを螺合させることで、第１のスペーサ２６の上に第３のスペーサ２８を立設する。これにより、第１の連結構造は第２の連結構造に変更される。
【００５８】
第１の連結構造を第２の連結構造に変更したうえで、増設した融着トレイ９において、光接続部１０１と光ファイバ心線余長部１００Ａａ、１００Ｂａの収納とをさらに実施する。収納が完了すると、第２の連結構造を介して収納箱２に蓋体３を装着する。第２の連結構造を用いた蓋体装着処理は次のようにして実施される。
【００５９】
まず、開口面２ａから収納箱２に蓋体３を装着する。この場合も収納箱２の第１の切欠４Ａに対応する蓋体３の位置に第２の切欠４Ｂが設けられているので、第１の切欠４Ａを介して収納箱２の内外に挿通されている第１、第２の光ケーブル１００Ａ、１００Ｂが、蓋体３の装着の邪魔になることはなく、蓋体３は所定の嵌合位置まで収納箱２に装着される。第２の連結構造における所定の嵌合位置とは、蓋体３の長辺側側壁３ｃ２が遮蔽壁となって収納箱２の第３の切欠４Ｃを完全に覆った状態で蓋体３の内面が第３のスペーサ２８の上端に当接する位置をいう。
【００６０】
所定の嵌合位置になって蓋体３の内面が収納箱２の連結フランジ２５Ａ〜２５Ｄにある第３のスペーサ２８の上端に当接すると、蓋体３の対向隅に設けられた連結ねじ３０、３０と、ねじ２５ａに螺合して立設する第２のスペーサ２７の雌ねじとを螺合させて、蓋体３を収納箱２に装着する。第３のスペーサ２８を設けることで、連結ねじ３０のねじ止め時において蓋体３の内面と第２のスペーサ２７の雌ねじとの間には隙間が形成される。この隙間を設けることで、連結ねじ３０のねじ止め作業が比較的容易になる。
【００６１】
以上説明したように、第２、第３のスペーサ２７、２８は、融着トレイ９の増設数が増えて、蓋体３を収納箱２から少し離間させないと全ての融着トレイ９を光接続箱１に収納できない状態となった際にのみ用いられるものであって、蓋体３の連結ねじ３０、３０を連結フランジ２５Ａ、２５Ｃの雌ねじ２５ａ、２５ａに直接螺合させて、蓋体３を収納箱２に装着する際には取り外される。
【符号の説明】
【００６２】
１  光接続箱
２  収納箱
２ａ  開口面
２ｂ１、２ｂ２  短辺側側壁
２ｃ１、２ｃ２  長辺側側壁
３  蓋体
３ｂ１、３ｂ２  長辺側側壁
３ｃ１、３ｃ２  短辺側側壁
４Ａ  第１の切欠
４Ｂ  第２の切欠
４Ｃ  第３の切欠
５  可撓性遮蔽材
５ａ  分割線
２６  第１のスペーサ
２７  第２のスペーサ
２８  第３のスペーサ
３０  連結ねじ
１００Ａ  第１の光ケーブル
１００Ｂ  第２の光ケーブル
１００Ａａ  光ファイバ心線余長部
１００Ｂａ  光ファイバ心線余長部
１００Ａｂ  接続端
１００Ｂｂ  接続端
１００Ａｃ  心線余長部束
１００Ｂｃ  心線余長部束
１０１  光接続部
ｗ  切欠幅寸法
ｈ  切欠高さ
【図１】
2014085468.tif 000003
【図２】
2014085468.tif 000004
【図３】
2014085468.tif 000005
【図４】
2014085468.tif 000006
【図５】
2014085468.tif 000007
【図６】
2014085468.tif 000008
【図７】
2014085468.tif 000009
【図８】
2014085468.tif 000010
【図９】
2014085468.tif 000011